【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
現実世界の地理的位置に対応する仮想空間をユーザ端末に表示させるための仮想空間表示システムであって、
前記仮想空間を表示するためのデータであって、過去の前記仮想空間をも表示するための時間軸に沿ったデータを蓄積した四次元データベースと、
前記ユーザ端末の操作により指定された地理的位置データおよび時間軸データに基づいて前記四次元データベースを検索し、前記指定された地理的位置データおよび時間軸データに対応する前記仮想空間を前記ユーザ端末に表示させるための制御を行なう指定仮想空間表示制御手段と、
前記ユーザ端末の操作により指定された地理的位置データおよび時間軸データに対応する前記仮想空間を表示するためのリンクが他の文書上に張られている場合に、当該他の文書からリンクを介して前記仮想空間へ遷移する操作が行われることにより、該仮想空間を表示させるための制御を行なう対応仮想空間表示制御手段とを備える、仮想空間表示システム。
【請求項２】
前記ユーザ端末の操作によりユーザが地理的位置を特定して入力した投稿を受付けて記憶する記憶手段をさらに備え、
前記指定仮想空間表示制御手段は、表示する仮想空間の地理的位置に対応する投稿が前記記憶手段により記憶されている場合に、当該投稿も前記ユーザ端末に表示させるための制御を行なう、請求項１に記載の仮想空間表示システム。
【請求項３】
現実世界の地理的位置に対応する仮想空間を表示可能なユーザ端末であって、
ユーザにより入力操作される操作部と、
表示部と、
時間軸に沿った過去の前記仮想空間をも表示するために時間軸に沿って蓄積された四次元データの内、前記操作部の操作により地理的位置データおよび時間軸データが指定された場合に、当該記指定された地理的位置データおよび時間軸データに対応する前記仮想空間を前記表示部に表示するための制御を行なう指定仮想空間表示手段と、
前記操作部の操作により指定された地理的位置データおよび時間軸データに対応する前記仮想空間を表示するためのリンクが他の文書上に張られている場合に、当該他の文書からリンクを介して前記仮想空間へ遷移する操作が行われることにより、該仮想空間を前記表示部に表示する制御を行なうための対応仮想空間表示手段とを、備える、ユーザ端末。
【請求項４】
現実世界の地理的位置に対応する仮想空間をユーザ端末の表示部に表示するためにコンピュータにより実行されるプログラムであって、
時間軸に沿った過去の前記仮想空間をも表示するために時間軸に沿って蓄積された四次元データの内、前記ユーザ端末の操作により指定された地理的位置データおよび時間軸データに該当するデータに基づいて、前記指定された地理的位置データおよび時間軸データに対応する前記仮想空間を前記表示部に表示する制御を行なう指定仮想空間表示ステップと、
前記ユーザ端末の操作により指定された地理的位置データおよび時間軸データに対応する前記仮想空間を表示するためのリンクが他の文書上に張られている場合に、当該他の文書からリンクを介して前記仮想空間へ遷移する操作が行われることにより、該仮想空間を前記表示部に表示する制御を行なう対応仮想空間表示ステップとを、
前記コンピュータに実行させる、プログラム。
【手続補正２】
【補正対象書類名】明細書
【補正対象項目名】発明の名称
【補正方法】変更
【補正の内容】
【発明の名称】仮想空間表示システム、ユーザ端末およびプログラム
【手続補正３】
【補正対象書類名】明細書
【補正対象項目名】０００８
【補正方法】変更
【補正の内容】
【０００８】
本発明は、現実世界の地理的位置に対応する仮想空間をユーザ端末（たとえば、携帯電話２）に表示させるための仮想空間表示システムであって、
前記仮想空間を表示するためのデータであって、過去の前記仮想空間をも表示するための時間軸（たとえばｗ）に沿ったデータを蓄積した四次元データベース（たとえば、仮想タグデータベース９、ユーザ四次元座標データベース１１ａ、出来事四次元座標データベース、会話データベース６１等）と、
前記ユーザ端末の操作により指定された地理的位置データ（アクセス位置（x,y,z））および時間軸データ（アクセス時刻（w））に基づいて前記四次元データベースを検索し、前記指定された地理的位置データおよび時間軸データに対応する前記仮想空間を前記ユーザ端末に表示させるための制御を行なう指定仮想空間表示制御手段（たとえば、図３１のＳ４８１〜Ｓ４８５、Ｓ３９〜Ｓ４２、図２０のＳ４３２〜Ｓ４３７）と、
前記ユーザ端末の操作により指定された地理的位置データおよび時間軸データに対応する前記仮想空間を表示するためのリンクが他の文書上に張られている場合に（たとえば、Ｓ４６７〜Ｓ４７１）、当該他の文書からリンクを介して前記仮想空間へ遷移する操作が行われることにより、該ハイパーリンクに対応する仮想空間を表示させるための制御を行なう対応仮想空間表示制御手段（たとえば、Ｓ４９０、Ｓ４９１）とを備える。
【手続補正４】
【補正対象書類名】明細書
【補正対象項目名】０００９
【補正方法】変更
【補正の内容】
【０００９】
好ましくは、前記ユーザ端末の操作によりユーザが地理的位置を特定して入力した投稿を受付けて記憶する記憶手段（たとえば、Ｓ４３８、Ｓ４８５、図２３等）をさらに備え、
前記指定仮想空間表示制御手段は、表示する仮想空間の地理的位置に対応する投稿が前記記憶手段により記憶されている場合に、当該投稿も前記ユーザ端末に表示させるための制御を行なう（たとえば、コメントが投稿された会話内容の四次元時空間にアクセスした場合には、会話内容のやり取りと共に投稿されたコメントも合わせて表示される。Ｓ４３７等）。
【手続補正５】
【補正対象書類名】明細書
【補正対象項目名】００１０
【補正方法】変更
【補正の内容】
【００１０】
本発明の他の局面は、現実世界の地理的位置に対応する仮想空間を表示可能なユーザ端末（たとえば、携帯電話２）であって、
ユーザにより入力操作される操作部（たとえば、入力操作部３７、カメラ入力部）と、
表示部（例えば、表示部３５）と、
時間軸（たとえばｗ）に沿った過去の前記仮想空間をも表示するために時間軸に沿って蓄積された四次元データ（たとえば、仮想タグデータベース９、ユーザ四次元座標データベース１１ａ、出来事四次元座標データベース、会話データベース６１等に記憶されたデータ）の内、前記操作部の操作により地理的位置データ（アクセス位置（x,y,z））および時間軸データ（アクセス時刻（w））が指定された場合に、当該記指定された地理的位置データおよび時間軸データに対応する前記仮想空間を前記表示部に表示するための制御を行なう指定仮想空間表示手段（たとえば、Ｓ３２１）と、
前記操作部の操作により指定された地理的位置データおよび時間軸データに対応する前記仮想空間を表示するためのリンクが他の文書上に張られている場合に（たとえば、Ｓ４６０〜Ｓ４６４）、当該他の文書からリンクを介して前記仮想空間へ遷移する操作が行われることにより、該仮想空間を前記表示部に表示する制御を行なうための対応仮想空間表示手段（たとえば、Ｓ４９０とＳ４９１に対応するＳ３２１部分）とを、備える。
本発明の他の局面は、現実世界の地理的位置に対応する仮想空間をユーザ端末の表示部（たとえば、携帯電話２の表示部３５）に表示するためにコンピュータ（たとえば、図５または図６のサーバ１０やサーバ２１）により実行されるプログラム（図１６、図２０、図２２、図３１等のフローチャートで示されたプログラム）であって、
時間軸（たとえばｗ）に沿った過去の前記仮想空間をも表示するために時間軸に沿って蓄積された四次元データ（たとえば、仮想タグデータベース９、ユーザ四次元座標データベース１１ａ、出来事四次元座標データベース、会話データベース６１等に記憶されたデータ）の内、前記ユーザ端末の操作により指定された地理的位置データ（アクセス位置（x,y,z））および時間軸データ（アクセス時刻（w））に該当するデータに基づいて、前記指定された地理的位置データおよび時間軸データに対応する前記仮想空間を前記表示部に表示する制御を行なう指定仮想空間表示ステップ（たとえば、図１６のＳ３３１、図３１のＳ４８１〜Ｓ４８５、Ｓ３９〜Ｓ４２、および図２０のＳ４３２〜Ｓ４３７、または、図１６のＳ３２１および図２０のＳ４２５等）と、
前記ユーザ端末の操作により指定された地理的位置データおよび時間軸データに対応する前記仮想空間を表示するためのリンクが他の文書上に張られている場合に（たとえば、Ｓ４６０〜Ｓ４６４）、当該他の文書からリンクを介して前記仮想空間へ遷移する操作が行われることにより、該仮想空間を前記表示部に表示する制御を行なう対応仮想空間表示ステップ（たとえば、Ｓ４９０およびＳ４９１、または、Ｓ３２１）とを、
前記コンピュータに実行させる。